(57)【特許請求の範囲】
【請求項１】
繰り返しパターンからなる糊がパターン状に塗布された面を挟むように重ね合わせ、または折り曲げてなる長尺の被加工媒体を、該媒体の表面から前記パターン状に塗布された箇所に対応する領域を加圧する圧着ローラーにおいて、
前記圧着ローラーは、円柱状の胴部と軸部からなり、前記胴部の表面に凸状に加圧パターンが形成された押圧部を持ち、回転しながら、前記媒体の前記領域に押圧を与える圧着ローラーであって、前記胴部は、径を等しくする１つ以上の小胴部が連接してなり、前記押圧部の表面には格子目を有することを特徴とする圧着ローラー。
【発明の詳細な説明】
【技術分野】
【０００１】
本発明は、製袋など紙を利用する紙加工技術に関し、特に糊付けを伴う加工工程の加工技術に関する。
【背景技術】
【０００２】
紙は、袋、封筒、箱、帳票など様々な形態に加工され、日常生活の多岐にわたる分野で用いられている。このような紙加工品の多くは糊付けにより組み立てられており、低コスト、大量生産のため、紙加工のための機械も多様なものが用いられる。その中で糊塗布は紙加工にあっては基本となる技術であるが、大量生産の紙加工分野では多くの場合、紙は巻取りの状態で供給され、糊塗布はローラー方式の糊塗布装置が用いられる。
【０００３】
ローラー方式の糊塗布装置は、第1のローラーの表面に延ばした糊を、第２のローラーの糊版（糊パターン）に移し取り、これをさらに紙などの対象物（被加工媒体）に転写する、といった構造を持ち、このような糊塗布に用いられる糊としては、初期接着力のやや弱い水性エマルジョン系のものが多い。
【０００４】
特許文献１は、媒体の丁合による記録媒体の製造方法に関する発明であり、丁合の工程において、パターン糊加工装置によりコの字状のパターン糊が施されることが述べられている。（段落［００２５］、［００２６］、［００４４］、［００４５］、図４）
【先行技術文献】
【特許文献】
【０００５】
【特許文献１】特開２００６−２９７６２７号公報
【０００６】
ローラー方式の糊塗布装置は、連続して供給される被加工媒体に対して効率的に糊を塗布でき、さらに、糊版の形状により糊塗布のパターン（糊パターン）を自在に設定できることが優れた点であるが、上記のように糊の初期接着力が弱いので、通常は糊塗布、貼合せの後に、圧着胴と呼ばれる加圧部を用いて被加工媒体の糊パターン部分を押さえる加圧工程が挿入される。圧着胴（以降、圧着ローラーと呼ぶ）は、主に金属製の円筒の表面に糊パターンの形状で凸部が形成されており、回転しながら接着部を加圧する。
ところが、糊パターンは品目によって様々な形状となるので、圧着ローラーも糊パターンに合わせて作成する必要があり、コスト、時間の負荷が多大なものとなっていた。
【発明の概要】
【発明が解決しようとする課題】
【０００７】
そこで本発明は、従来の圧着ローラーのように糊パターンに応じてそれぞれ専用に作成することなく、多様な糊パターンに適用可能とする圧着ローラーを提供することを課題とする。
【課題を解決するための手段】
【０００８】
本発明の圧着ローラーは、繰り返しパターンからなる糊がパターン状に塗布された面を挟むように重ね合わせ、または折り曲げてなる長尺の被加工媒体を、該媒体の表面から前記パターン状に塗布された箇所に対応する領域を加圧する圧着ローラーにおいて、該圧着ローラーは、円柱状の胴部と軸部からなり、前記胴部の表面に凸状に加圧パターンが形成された押圧部を持ち、回転しながら、前記媒体の前記領域に押圧を与える圧着ローラーであって、前記胴部は、径を等しくする１つ以上の小胴部が連接してなり、前記押圧部の表面には格子目を有することを特徴とする。
【発明の効果】
【０００９】
本発明の圧着ローラーは、小胴部の組み合せにより構成されるため、種々の糊パターンに合わせた小胴部の組み合せを選択することができ、従来のように専用の圧着ローラーを作製する必要性が減じる。また、押圧部の表面に設けられた格子目により、格子による圧痕により、押圧の強さ、ムラの有無などが目視で判別可能となる。
【図面の簡単な説明】
【００１０】
【図１】糊パターンを示す図
【図２】従来の圧着ローラーを示す図
【図３】本発明の圧着ローラーの構成を示す図
【図４】本発明の圧着ローラーを示す図
【図５】本発明の圧着ローラーの例を示す図
【発明を実施するための形態】
【００１１】
図１は、糊パターンの例を示す図であり、図１（ａ）は糊パターンの平面図、図１（ｂ）は糊パターンにより被加工媒体（以降、単に媒体と呼ぶ）が貼り合わされる様子、図１（ｃ）は貼り合わせが完成した状態を表わす。すなわち、媒体（１１ａ、１１ｂ）に糊パターン（１２ａ、１２ｂ）の形状で糊が塗布され、貼り合わされて封筒１５が完成する。
【００１２】
なお、糊パターン１２ａは、２枚の媒体を上下に重ねて貼り合わせる場合の糊パターンであり、糊はコの字状に塗布される。また、糊パターン１２ｂは１枚の媒体を折り曲げて貼り合わせる場合の糊パターンであり、糊は二の字状に塗布される。
【００１３】
図２は、貼り合わせの際に用いる圧着ローラーを表わす図であり、圧着ローラー２０は従来の圧着ローラーの態様を表わしている。なお、媒体２５は圧着ローラー２０が押圧を与える対象物である。
図２に示す媒体２５は、巻取原反から帯状の媒体に糊が糊パターン１２の形状に連続して塗布され、別の媒体と貼り合わされた状態を表わす。すなわち、媒体２５の１ピッチＰ分から、図１の封筒１５が得られる。
【００１４】
圧着ローラー２０は、円筒部２１の表面に凸状の押圧部２２が糊パターン１２の形状に合わせて形成されており、図１（ｂ）のごとく重ね合わされた状態で、長尺の帯状で供給される媒体２５に対し、回転しながら糊パターン１２の部分に押圧を与える。なお、糊パターン１２は、品目により変化するので、従来は、圧着ローラー２０は品目に合わせて専用に作製されていた。
【００１５】
また、押圧部２２の表面には、より確実な圧接のため、格子目加工などが施される。この格子目加工は、格子による圧痕を観察することにより、押圧の強さ、ムラの有無などが破壊検査でなく目視で判別できるという効果がある。
【００１６】
図３は、本発明の圧着ローラーの構成を示す図であり、本発明の圧着ローラーの胴部が小胴部３１（エレメントと呼ぶ）に分解可能な構成を持つことを表わす。
構成図３５に示すように、圧着ローラー３０は、軸部３６、円周方向の押圧部３２を持つエレメントＡ３７と、巾方向にバー状の押圧部３２を持ち、それぞれ巾の異なるエレメントＢ（３８ａ、３８ｂ、３８ｃ）とで構成される。
なお、エレメントＢを軸部３６にセットしたときに、各エレメントＢ上の押圧部３２が一直線に揃うようにするために、エレメントＢと軸部３６との間、または各エレメントＢ同士に位置合わせのための嵌合機構（図示せず）を設けることが望ましい。
【００１７】
図４は、本発明の圧着ローラーをエレメントＢの組み合わせを変化させて構成した例である。
圧着ローラー３０Ａは、３つのエレメントＢ３８ａとエレメントＢ３８ｃを組み合わせ、圧着ローラー３０Ｂは、エレメントＢ３８ａ、エレメント３８ｂ、エレメントＢ３８ｃを組み合わせ、それぞれ巾Ｌが異なる構成としている。
【００１８】
なお、このような媒体の製造装置は、上記の糊付け以外に、パンチ穴加工やミシン目加工などの工程を持ち、全体がピッチＰを基準として動作するので、通常の製造装置ではピッチＰは、無数に設定されることはなく、数種程度に規格化されている。したがって、圧着ローラー３０の径も、その製造装置で規定される種類に集約されることになる。
【００１９】
図５は、本発明の圧着ローラーの押圧部のパターン例であって、エレメントＡ３７の押圧部のパターンを変化させたものである。
図５（ａ）に示す押圧部５１のパターンは円周方向に一様なパターンであり、媒体２５の搬送方向に連続的な押圧を与える。これに対し図５（ｂ）に示す押圧部５２のパターンは、圧接する部分が間隔を置いて配置されており、媒体２５の搬送方向に対して間欠的に押圧を与える。
【００２０】
以上、説明したように、本発明の圧着ローラーは、エレメントの組み合わせにより構成されるため、押圧部の巾を変化させることが可能となる。よって、品目ごとに専用に圧着ローラーを製作する必要が減じ、コストの削減、時間の短縮に繋がる。
【符号の説明】
【００２１】
１２  糊パターン
２０  圧着ローラー
２１  円筒部
２２  押圧部
２５  媒体
３０  圧着ローラー
３１  エレメント
３７  エレメントＡ
３８ａ、３８ｂ、３８ｃ  エレメントＢ
【図１】
0005987300.tif 000002
【図２】
0005987300.tif 000003
【図３】
0005987300.tif 000004
【図４】
0005987300.tif 000005
【図５】
0005987300.tif 000006